(57)【要約】【課題】各部門で独立に定義された設備や区画の情報を用いて設備と区画または設備と設備の位置関係を検索できるようにする。【解決手段】座標変換部２１０は各照明装置の位置が設定された照明座標情報と照明装置の座標系が定義された照明座標ルール２９１とに基づいて照明配置図を生成し、各区画の位置が設定された区画座標情報と区画の座標系が定義された区画座標ルール２９３とに基づいて区画配置図を生成する。座標変換部２１０は特定座標系を定義し、照明配置図と区画配置図とに基づいて特定座標系における統合配置図を生成する。設備位置決定部２２０は照明装置の大きさが定義された照明マスタ情報と区画の大きさが定義された区画マスタ情報とに基づいて統合配置図に照明領域と区画領域とを設定する。設備位置検索部２３０は統合配置図に基づいて指定区画に対応する照明装置を特定する。【選択図】図２
2011034534.tif 000002
【特許請求の範囲】
【請求項１】
特定域内に設けられた複数の機器それぞれの第１座標系における座標値を第１座標値として示す機器座標情報と、前記特定域内に設けられた複数の区画それぞれの第２座標系における座標値を第２座標値として示す区画座標情報とを記憶する座標情報記憶部と、
各機器の大きさを示す機器サイズ情報と、各区画の大きさを示す区画サイズ情報とを記憶するサイズ情報記憶部と、
前記機器座標情報に基づいて特定の座標系における各機器の座標値を各機器の特定座標値としてＣＰＵ（Ｃｅｎｔｒａｌ  Ｐｒｏｃｅｓｓｉｎｇ  Ｕｎｉｔ）を用いて算出すると共に、前記区画座標情報に基づいて前記特定の座標系における各区画の座標値を各区画の特定座標値としてＣＰＵを用いて算出する特定座標値算出部と、
前記特定座標値算出部により算出された各機器の特定座標値と前記機器サイズ情報に示される各機器の大きさとに基づいて各機器の存在する範囲を機器範囲としてＣＰＵを用いて特定すると共に、前記特定座標値算出部により算出された各区画の特定座標値と前記区画サイズ情報に示される各区画の大きさとに基づいて各区画の存在する範囲を示す区画範囲としてＣＰＵを用いて特定する存在範囲特定部と、
前記存在範囲特定部により特定された各機器の機器範囲と前記存在範囲特定部により特定された各区画の区画範囲とを含んだ情報を各機器と各区画との位置関係を示す位置関係情報としてＣＰＵを用いて生成する位置関係情報生成部と
を備えたことを特徴とする位置関係情報生成装置。
【請求項２】
前記位置関係情報生成装置は、さらに、
前記位置関係情報生成部により生成された位置関係情報に基づいて、特定の区画から所定範囲内に位置する機器をＣＰＵを用いて特定する位置検索部を備えた
ことを特徴とする請求項１記載の位置関係情報生成装置。
【請求項３】
前記機器は照明装置と空調装置と通信装置との少なくともいずれかであることを特徴とする請求項１または請求項２記載の位置関係情報生成装置。
【請求項４】
前記区画は前記特定域に設けられた複数の座席それぞれが位置する範囲であることを特徴とする請求項１〜請求項３いずれかに記載の位置関係情報生成装置。
【請求項５】
前記区画は前記特定域に設けられた複数の座席をグループ分けした複数の座席グループそれぞれが位置する範囲であることを特徴とする請求項１〜請求項３いずれかに記載の位置関係情報生成装置。
【請求項６】
座標情報記憶部が、特定域内に設けられた複数の機器それぞれの第１座標系における座標値を第１座標値として示す機器座標情報と、前記特定域内に設けられた複数の区画それぞれの第２座標系における座標値を第２座標値として示す区画座標情報とを記憶し、
サイズ情報記憶部が、各機器の大きさを示す機器サイズ情報と、各区画の大きさを示す区画サイズ情報とを記憶し、
特定座標値算出部が、前記機器座標情報に基づいて特定の座標系における各機器の座標値を各機器の特定座標値としてＣＰＵ（Ｃｅｎｔｒａｌ  Ｐｒｏｃｅｓｓｉｎｇ  Ｕｎｉｔ）を用いて算出すると共に、前記区画座標情報に基づいて前記特定の座標系における各区画の座標値を各区画の特定座標値としてＣＰＵを用いて算出し、
存在範囲特定部が、前記特定座標値算出部により算出された各機器の特定座標値と前記機器サイズ情報に示される各機器の大きさとに基づいて各機器の存在する範囲を機器範囲としてＣＰＵを用いて特定すると共に、前記特定座標値算出部により算出された各区画の特定座標値と前記区画サイズ情報に示される各区画の大きさとに基づいて各区画の存在する範囲を示す区画範囲としてＣＰＵを用いて特定し、
位置関係情報生成部が、前記存在範囲特定部により特定された各機器の機器範囲と前記存在範囲特定部により特定された各区画の区画範囲とを含んだ情報を各機器と各区画との位置関係を示す位置関係情報としてＣＰＵを用いて生成する
ことを特徴とする位置関係情報生成方法。
【請求項７】
請求項６記載の位置関係情報生成方法をコンピュータに実行させる位置関係情報生成プログラム。
【発明の詳細な説明】
【技術分野】
【０００１】
本発明は、例えば、オフィスビルの特定の区画に設置された照明装置などの設備を検索するための位置関係情報生成装置、位置関係情報生成方法および位置関係情報生成プログラムに関するものである。
【背景技術】
【０００２】
通常のオフィスビルにおいて、全ての設備が同一業者により同一時期に導入されると言う事は稀である。このため、複数の設備は各々の形式で情報管理されている。例えば、空調は空調の配置図と空調ＩＤリスト、照明は照明の配置図と照明ＩＤリスト、ＬＡＮ回線はＬＡＮ回線の配置図とケーブル番号リスト、座席は座席の配置図と座席番号リスト、会議室やチームのエリアはフロアの配置図と区画名リスト、などで管理される。そのため、会議室の近傍の空調を探す場合、フロアの配置図、区画名リスト、空調の配置図、および空調ＩＤリストを付き合わせなければならない。
【先行技術文献】
【特許文献】
【０００３】
【特許文献１】特開平６−６８２０８号公報
【発明の概要】
【発明が解決しようとする課題】
【０００４】
このような付き合わせの検索を実現する場合、複数設備の設備情報、および区画情報を統合的に管理する方式が上げられる。しかし、統合的に管理するには統合情報の作成や保守にコストがかかるという課題がある。
例えば、各設備の設備情報と区画の区画情報を統一の座標軸にマッピングするための情報を作成しなければならない。しかし、オフィスは設備の情報、区画の情報を管理する部門がそれぞれ異なり一般的に、空調や照明は設備管理部門、ＬＡＮ回線は情報システム部門、座席やフロアは総務部門が管理する。このため、統一の座標軸にマッピングするための部門間の共通のルール作りが必要である。さらに、何れかの部門が統合情報を管理する必要がある。そのため、部門間の調整、統合情報の管理にコストがかかる。
【０００５】
本発明は、例えば、各部門で独立に定義された設備や区画の情報を用いて設備と区画または設備と設備の位置関係を検索できるようにすることを目的とする。
【課題を解決するための手段】
【０００６】
本発明の位置関係情報生成装置は、
特定域内に設けられた複数の機器それぞれの第１座標系における座標値を第１座標値として示す機器座標情報と、前記特定域内に設けられた複数の区画それぞれの第２座標系における座標値を第２座標値として示す区画座標情報とを記憶する座標情報記憶部と、
各機器の大きさを示す機器サイズ情報と、各区画の大きさを示す区画サイズ情報とを記憶するサイズ情報記憶部と、
前記機器座標情報に基づいて特定の座標系における各機器の座標値を各機器の特定座標値としてＣＰＵ（Ｃｅｎｔｒａｌ  Ｐｒｏｃｅｓｓｉｎｇ  Ｕｎｉｔ）を用いて算出すると共に、前記区画座標情報に基づいて前記特定の座標系における各区画の座標値を各区画の特定座標値としてＣＰＵを用いて算出する特定座標値算出部と、
前記特定座標値算出部により算出された各機器の特定座標値と前記機器サイズ情報に示される各機器の大きさとに基づいて各機器の存在する範囲を機器範囲としてＣＰＵを用いて特定すると共に、前記特定座標値算出部により算出された各区画の特定座標値と前記区画サイズ情報に示される各区画の大きさとに基づいて各区画の存在する範囲を区画範囲としてＣＰＵを用いて特定する存在範囲特定部と、
前記存在範囲特定部により特定された各機器の機器範囲と前記存在範囲特定部により特定された各区画の区画範囲とを含んだ情報を各機器と各区画との位置関係を示す位置関係情報としてＣＰＵを用いて生成する位置関係情報生成部とを備える。
【発明の効果】
【０００７】
本発明によれば、例えば、各部門で独立に定義された設備や区画の情報から設備（機器）と区画との位置関係情報を生成し、位置関係情報を用いて設備と区画または設備と設備の位置関係を検索することができる。
【図面の簡単な説明】
【０００８】
【図１】実施の形態１におけるビル管理システム１００の構成図。
【図２】実施の形態１における位置関係検索装置２００の機能構成図。
【図３】実施の形態１における位置関係検索装置２００のハードウェア資源の一例を示す図。
【図４】実施の形態１における位置関係検索装置２００の位置関係検索方法を示すフローチャート。
【図５】実施の形態１における照明配置図２０１および区画配置図２０２の一例。
【図６】実施の形態１における照明座標情報１１３および区画座標情報１３３の一例。
【図７】実施の形態１における照明座標ルール２９１および区画座標ルール２９３の一例。
【図８】実施の形態１における照明マスタ情報１１２および区画マスタ情報１３２の一例。
【図９】実施の形態１におけるＳ１２１とＳ１２２とを示す概要図。
【図１０】実施の形態１におけるＳ１２３とＳ１２４とを示す概要図。
【図１１】実施の形態１における統合配置図２０４を示す図。
【図１２】実施の形態１における指定区画２０７、検索領域２０８および照明装置１１９の関係図。
【図１３】統合テーブル１０９の一例。
【発明を実施するための形態】
【０００９】
実施の形態１．
図１は、実施の形態１におけるビル管理システム１００の構成図である。
実施の形態１におけるビル管理システム１００の構成について、図１に基づいて以下に説明する。
【００１０】
ビル管理システム１００は、ビル（または建物、以下同様）内の照明システム１１０、空調システム１２０および入退室管理システム１３０を制御するシステム（または装置、以下同様）である。ビル管理システム１００、照明システム１１０、空調システム１２０および入退室管理システム１３０はネットワーク１０１に接続する。ビル管理システム１００はネットワーク１０１を介して照明システム１１０、空調システム１２０および入退室管理システム１３０と通信し、これらを制御する。
【００１１】
ビルの各フロア（または部屋、以下同様）には照明装置１１９および空調装置１２９が多数設置される。
各フロアには、社員（または利用者、以下同様）が社員ＩＤの記録されたＩＤカードを入退室時に読み取らせるカードリーダ１３９が設置されている。
各フロアには、多数の座席がチーム（社員のグループ）毎に分けて配置されている。
【００１２】
照明システム１１０は、各フロアに設置された多数の照明装置１１９を点灯、消灯または調光率を変更するなど調光制御する照明コントローラ１１１を有する。
照明コントローラ１１１には、各照明装置１１９の型番や大きさが定義された照明マスタ情報１１２や各照明装置１１９の設置された位置を示す座標値が定義された照明座標情報１１３が記憶されているものとする。
【００１３】
空調システム１２０は、各フロア内に設置された多数の空調装置１２９をオン、オフまたは設定温度を変更するなど空調制御する空調コントローラ１２１を有する。
空調コントローラ１２１には、各空調装置１２９の型番や大きさが定義された空調マスタ情報１２２や各空調装置１２９の設置された位置を示す座標値が定義された空調座標情報１２３が記憶されているものとする。
【００１４】
入退室管理システム１３０は、各フロア内に設置されたカードリーダ１３９で読み取られた入退室者の社員ＩＤに基づいて入退室者の情報を記録する入退室管理コントローラ１３１を有する。
入退室管理コントローラ１３１には、座席、チーム（座席グループ）または会議室などの各区画（存在する範囲、領域）の大きさが定義された区画マスタ情報１３２や各区画の位置を示す座標値が定義された区画座標情報１３３が記憶されているものとする。
【００１５】
ビル管理システム１００は、照明装置１１９や空調コントローラ１２１（設備、機器の一例）と区画との位置関係を検索する位置関係検索装置２００と、位置関係検索装置２００の検索結果に基づいて照明コントローラ１１１や空調コントローラ１２１を制御する機器制御装置１４０を有する。
【００１６】
例えば、位置関係検索装置２００は入室者（または退室者）の座席の付近に設置されている照明装置１１９や空調装置１２９を特定する。機器制御装置１４０は位置関係検索装置２００により特定された照明装置１１９の点灯や調光率の変更（または消灯）を照明コントローラ１１１に要求し、位置関係検索装置２００により特定された空調装置１２９のスイッチオンや設定温度の変更（またはスイッチオフ）を空調コントローラ１２１に要求する。
【００１７】
図２は、実施の形態１における位置関係検索装置２００の機能構成図である。
位置関係検索装置２００の機能構成について、図２に基づいて以下に説明する。
【００１８】
位置関係検索装置２００（位置関係情報生成装置の一例）は検索装置記憶部２９０（座標情報記憶部、サイズ情報記憶部の一例）を備える。
【００１９】
検索装置記憶部２９０は、位置関係検索装置２００で使用される各種データを記憶する。
【００２０】
照明座標ルール２９１、空調座標ルール２９２、区画座標ルール２９３および区画対応情報２９９は検索装置記憶部２９０に記憶されるデータの一例である。
照明座標ルール２９１、空調座標ルール２９２、区画座標ルール２９３にはそれぞれ前述の照明座標情報１１３、空調座標情報１２３、区画座標情報１３３に示される座標値の座標ルールが定義されている。座標ルールとは座標系（原点、座標軸など）を表す情報であり、例えば、座標系の起点（原点）、終点、座標軸のグリッド数を示す情報である。
区画対応情報２９９には、社員ＩＤと当該社員の座席（またはチーム）の区画を識別する区画番号とが対応付けて定義されている。
【００２１】
また、照明コントローラ１１１、空調コントローラ１２１、入退室管理コントローラ１３１から取得される各座標情報（符号「１１３」「１２３」「１３３」）（機器座標情報、区画座標情報の一例）は検索装置記憶部２９０に記憶されるデータの一例である（図示省略）。
例えば、照明座標情報１１３や空調座標情報１２３は特定域（例えば、特定のフロア）内に設けられた複数の機器それぞれの第１座標系における座標値を第１座標値として示す。区画座標情報１３３は特定域内に設けられた複数の区画それぞれの第２座標系における座標値を第２座標値として示す。
【００２２】
また、照明コントローラ１１１、空調コントローラ１２１、入退室管理コントローラ１３１から取得される各マスタ情報（符号「１１２」「１２２」「１３２」）（機器サイズ情報、区画サイズ情報の一例）は検索装置記憶部２９０に記憶されるデータの一例である（図示省略）。
例えば、照明マスタ情報１１２や空調マスタ情報１２２は各機器の大きさを示し、区画マスタ情報１３２は各区画の大きさを示す。
【００２３】
また、後述する照明配置図２０１、区画配置図２０２、統一座標空間２０３および統合配置図２０４は検索装置記憶部２９０に記憶されるデータの一例である（図示省略）。
【００２４】
さらに、位置関係検索装置２００（位置関係情報生成装置の一例）は、座標変換部２１０（特定座標値算出部の一例）、設備位置決定部２２０（存在範囲特定部、位置関係情報生成部の一例）、設備位置検索部２３０（位置検索部の一例）および区画特定部２８０を備える。
【００２５】
座標変換部２１０は、照明座標情報１１３や空調座標情報１２３に基づいて特定の座標系における各機器の座標値を各機器の特定座標値としてＣＰＵ（Ｃｅｎｔｒａｌ  Ｐｒｏｃｅｓｓｉｎｇ  Ｕｎｉｔ）を用いて算出する。
座標変換部２１０は、区画座標情報１３３に基づいて特定の座標系における各区画の座標値を各区画の特定座標値としてＣＰＵを用いて算出する。
【００２６】
設備位置決定部２２０は、座標変換部２１０により算出された各機器の特定座標値と照明マスタ情報１１２や空調マスタ情報１２２に示される各機器の大きさとに基づいて各機器の存在する範囲を機器範囲としてＣＰＵを用いて特定する。
設備位置決定部２２０は、座標変換部２１０により算出された各区画の特定座標値と空調座標情報１２３に示される各区画の大きさとに基づいて各区画の存在する範囲を区画範囲としてＣＰＵを用いて特定する。
設備位置決定部２２０は、各機器の機器範囲と各区画の区画範囲とを含んだ情報を各機器と各区画との位置関係を示す位置関係情報としてＣＰＵを用いて生成する。
【００２７】
設備位置検索部２３０は、設備位置決定部２２０により生成された位置関係情報に基づいて、特定の区画から所定範囲内に位置する機器をＣＰＵを用いて特定する。
【００２８】
区画特定部２８０は、入退室管理コントローラ１３１から通知される入室者（または退室者）の社員ＩＤに対応する区画番号を区画対応情報２９９に基づいて特定する。
設備位置検索部２３０は区画特定部２８０により特定された区画番号で識別される区画から所定範囲内に位置する機器を特定する。
機器制御装置１４０は設備位置検索部２３０により特定された照明装置１１９の点灯や調光率の変更（または消灯）を照明コントローラ１１１に要求し、設備位置検索部２３０により特定された空調装置１２９のスイッチオンや設定温度の変更（またはスイッチオフ）を空調コントローラ１２１に要求する。
【００２９】
図３は、実施の形態１における位置関係検索装置２００のハードウェア資源の一例を示す図である。
図３において、位置関係検索装置２００は、ＣＰＵ９１１（マイクロプロセッサ、マイクロコンピュータともいう）を備えている。ＣＰＵ９１１は、バス９１２を介してＲＯＭ９１３、ＲＡＭ９１４、通信ボード９１５、表示装置９０１、キーボード９０２、マウス９０３、ドライブ装置９０４、磁気ディスク装置９２０と接続され、これらのハードウェアデバイスを制御する。ドライブ装置９０４は、ＦＤ（Ｆｌｅｘｉｂｌｅ・Ｄｉｓｋ・Ｄｒｉｖｅ）、ＣＤ（Ｃｏｍｐａｃｔ  Ｄｉｓｃ）、ＤＶＤ（Ｄｉｇｉｔａｌ・Ｖｅｒｓａｔｉｌｅ・Ｄｉｓｃ）などの記憶媒体に対してデータを読み書きする装置である。
【００３０】
通信ボード９１５は、有線または無線で、ＬＡＮ（Ｌｏｃａｌ  Ａｒｅａ  Ｎｅｔｗｏｒｋ）、インターネット、電話回線などの通信網に接続している。
【００３１】
磁気ディスク装置９２０には、ＯＳ９２１（オペレーティングシステム）、ウィンドウシステム９２２、プログラム群９２３、ファイル群９２４が記憶されている。
【００３２】
プログラム群９２３には、実施の形態において「〜部」として説明する機能を実行するプログラムが含まれる。プログラムは、ＣＰＵ９１１により読み出され実行される。すなわち、プログラムは、「〜部」としてコンピュータを機能させるものであり、また「〜部」の手順や方法をコンピュータに実行させるものである。
【００３３】
ファイル群９２４には、実施の形態において説明する「〜部」で使用される各種データ（入力、出力、判定結果、計算結果、処理結果など）が含まれる。
【００３４】
実施の形態において構成図およびフローチャートに含まれている矢印は主としてデータや信号の入出力を示す。
【００３５】
実施の形態において「〜部」として説明するものは「〜回路」、「〜装置」、「〜機器」であってもよく、また「〜ステップ」、「〜手順」、「〜処理」であってもよい。すなわち、「〜部」として説明するものは、ファームウェア、ソフトウェア、ハードウェアまたはこれらの組み合わせのいずれで実装されても構わない。
【００３６】
図４は、実施の形態１における位置関係検索装置２００の位置関係検索方法を示すフローチャートである。
特定の区画に対応する照明装置１１９を特定する位置関係検索方法（位置関係情報生成方法の一例）について、図４に基づいて以下に説明する。区画に対応する空調装置１２９を特定する場合や照明装置１１９に対応する空調装置１２９を特定する場合も同じ方法を用いる。
【００３７】
位置関係検索装置２００の各「〜部」は以下に説明する処理をＣＰＵを用いて実行する。
【００３８】
まず、位置関係検索方法の概要について説明する。
設備位置検索部２３０は検索対象とする区画の指定を入力した場合（Ｓ１１１）、照明コントローラ１１１から照明マスタ情報１１２と照明座標情報１１３とを取得し、入退室管理コントローラ１３１から区画マスタ情報１３２と区画座標情報１３３とを取得する（Ｓ１１２）。
座標変換部２１０は照明座標ルール２９１と照明座標情報１１３とに基づいて照明配置図２０１を生成し、区画座標ルール２９３と区画座標情報１３３とに基づいて区画配置図２０２を生成する（Ｓ１２１）。
座標変換部２１０は照明座標ルール２９１と区画座標ルール２９３とに基づいて照明配置図２０１と区画配置図２０２との向きを揃える（Ｓ１２２）。
座標変換部２１０は特定座標系を定義し（Ｓ１２３）、照明配置図２０１と区画配置図２０２とに基づいて特定座標系における統合配置図２０４を生成する（Ｓ１２４）。
設備位置決定部２２０は照明マスタ情報１１２と区画マスタ情報１３２とに基づいて統合配置図２０４に照明領域２０５と区画領域２０６とを設定する（Ｓ１３０）。
設備位置検索部２３０は統合配置図に基づいて指定区画に対応する照明装置１１９を特定する（Ｓ１４０）。
【００３９】
次に、各処理（Ｓ１１１〜Ｓ１４０）の詳細について説明する。
【００４０】
ここで、フロアに設置されたカードリーダ１３９により社員カードから社員ＩＤが読み取られた場合、入退室管理コントローラ１３１は読み取られた社員ＩＤを位置関係検索装置２００に送信するものとする。
位置関係検索装置２００の区画特定部２８０は、入退室管理コントローラ１３１から社員ＩＤを受信し、受信した社員ＩＤに対応する区画番号を区画対応情報２９９に基づいて特定し、検索対象とする区画の指定としてこの区画番号を設備位置検索部２３０に入力する。
【００４１】
カードリーダ１３９は入退室者の座席（またはチーム、以下同じ）を検出する装置の一例であり、読み取られた社員ＩＤは入退室者の座席を特定する情報の一例である。
人感センサ（赤外線センサなど）を各座席に設置して入退室者の座席を特定してもよい。
【００４２】
＜Ｓ１１１＞
設備位置検索部２３０は、検索対象とする区画の指定として区画番号を入力する。
Ｓ１１１の後、処理はＳ１１２に進む。
【００４３】
＜Ｓ１１２＞
設備位置検索部２３０は、照明コントローラ１１１から最新の照明マスタ情報１１２と照明座標情報１１３とを取得し、入退室管理コントローラ１３１から最新の区画マスタ情報１３２と区画座標情報１３３とを取得する。
取得された照明マスタ情報１１２、照明座標情報１１３、区画マスタ情報１３２および区画座標情報１３３は検索装置記憶部２９０に記憶される。
【００４４】
図５は、実施の形態１における照明配置図２０１および区画配置図２０２の一例である。
社員ＩＤが読み取られたフロア内の照明装置１１９の配置図（照明配置図２０１）と、同じフロア内の座席（区画）の配置図（区画配置図２０２）とを図５に示す。
【００４５】
照明装置１１９を管理するために定義された座標系を「照明座標系」とし、区画を管理するために定義された座標系を「区画座標系」とする。
照明配置図２０１には照明座標系を適用し、区画配置図２０２には区画座標系を適用している。
【００４６】
照明配置図２０１に示すように、照明座標系で表されるフロアは北西を起点とする。照明座標系において、フロアは西から東への方向で３つに区切られ、北から南への方向で４つに区切られる。照明座標系は西から東への方向をＸ軸方向、北から南への方向をＹ軸方向とする。以下、照明座標系で表されるフロアを「照明座標空間」という。
丸の中に記された番号は照明装置１１９を識別する照明ＩＤを示している。照明ＩＤ「１」「２」「３」「４」「５」「６」それぞれの照明装置１１９は、照明座標空間において論理座標（Ｘ，Ｙ）＝（１，２）、（１，４）、（２，１）、（２，３）、（３，２）、（３，４）で表される位置に設置されている。
【００４７】
区画配置図２０２に示すように、区画座標系で表されるフロアは東南を起点とする。区画座標系において、フロアは東から西への方向で６つに区切られ、南から北への方向で６つに区切られる。区画座標系は東から西への方向をＸ軸方向、南から北への方向をＹ軸方向とする。以下、区画座標系で表されるフロアを「区画座標空間」という。
四角の中に記された番号は座席の区画番号を示している。区画番号「１」「２」「３」「４」それぞれの座席は、区画座標空間において論理座標（Ｘ，Ｙ）＝（２，２）、（３，４）、（５，５）、（６，３）で表される位置に設けられている。
【００４８】
図６は、実施の形態１における照明座標情報１１３および区画座標情報１３３の一例である。
照明座標情報１１３は照明座標空間における各照明装置１１９の論理座標が定義された情報であり、区画座標情報１３３は区画座標空間における各区画（座席）の論理座標が定義された情報である。
図５の各照明装置１１９の論理座標を定義した照明座標情報１１３と、図５の各区画の論理座標を定義した区画座標情報１３３とを図６に示す。
【００４９】
図７は、実施の形態１における照明座標ルール２９１および区画座標ルール２９３の一例である。
照明座標ルール２９１は照明座標空間が定義された情報であり、区画座標ルール２９３は区画座標空間が定義された情報である。
図５の照明座標空間を定義した照明座標ルール２９１と、図５の区画座標空間を定義した区画座標ルール２９３とを図７に示す。図７において、Ｘ軸またはＹ軸の区切り（目盛り）を「グリッド」という。
【００５０】
図８は、実施の形態１における照明マスタ情報１１２および区画マスタ情報１３２の一例である。
照明マスタ情報１１２は各照明装置１１９の型番と大きさとが定義された情報であり、区画マスタ情報１３２は各区画の型番と大きさとが定義された情報である。
照明ＩＤ「１」〜「６」の各照明装置１１９の型番をいずれも「１」とし、型番「１」の照明装置１１９の大きさを「１メートル（長さ）×０．６メートル（幅）」とする。また、型番「１」の照明装置１１９は照明座標空間において長さ方向をＸ軸方向（東西方向）、幅方向をＹ軸方向（南北方向）にして設置されるものとする。
区画番号「１」〜「４」の各座席の区画の型番をいずれも「１」とし、型番「１」の座席の大きさを「０．５メートル（奥行き）×１．２メートル（幅）」とする。また、型番「１」の座席は区画座標空間において奥行き方向をＸ軸方向、幅方向をＹ軸方向にして配置されるものとする。
これらの条件に基づいて定義された照明マスタ情報１１２および区画マスタ情報１３２を図８に示す。
【００５１】
図４に戻り、位置関係検索方法の説明を続ける。
【００５２】
Ｓ１１２の後、処理はＳ１２１に進む。
【００５３】
＜Ｓ１２１＞
座標変換部２１０は、照明座標ルール２９１で定義される照明座標空間を表すフロア図を生成し、照明座標情報１１３に定義された各照明装置１１９の論理座標に基づいて各照明装置１１９の照明ＩＤをフロア図にマッピングする。照明ＩＤのマッピングとは、照明ＩＤを論理座標に対応付けてフロア図に設定することである。以下、各照明装置１１９の照明ＩＤをマッピングしたフロア図（照明座標空間）を「照明配置図２０１」という。
座標変換部２１０は、区画座標ルール２９３で定義される区画座標空間を表すフロア図を生成し、区画座標情報１３３に定義された各区画の論理座標に基づいて各区画の区画番号をフロア図にマッピングする。以下、各区画の区画番号をマッピングしたフロア図（区画座標空間）を「区画配置図２０２」という。
【００５４】
図９は、実施の形態１におけるＳ１２１とＳ１２２とを示す概要図である。
Ｓ１２１において、図７に示す照明座標ルール２９１と図６に示す照明座標情報１１３とに基づいて図９（状態１）の照明配置図２０１が生成され、図７に示す区画座標ルール２９３と図６に示す区画座標情報１３３とに基づいて図９（状態１）の区画配置図２０２が生成される。
【００５５】
図４に戻り、位置関係検索方法の説明を続ける。
【００５６】
Ｓ１２１の後、処理はＳ１２２に進む。
【００５７】
＜Ｓ１２２＞
座標変換部２１０は、照明座標ルール２９１と区画座標ルール２９３とに基づいて照明配置図２０１と区画配置図２０２との向きを揃える。
例えば、座標変換部２１０は、区画配置図２０２の向き（起点、終点、Ｘ軸、Ｙ軸）を照明配置図２０１に合わせる。
図７に示す照明座標ルール２９１および区画座標ルール２９３に基づいて照明配置図２０１に向きを合わせた区画配置図２０２を図９の（状態２）に示す。
Ｓ１２２の後、処理はＳ１２３に進む。
【００５８】
＜Ｓ１２３＞
座標変換部２１０は、特定の座標系（特定座標系）を決定し、特定座標系で表したフロア図を生成する。以下、特定座標系で表したフロア図を「統一座標空間２０３」という。
例えば、座標変換部２１０は、南北軸および東西軸を特定座標系の座標軸とし、照明配置図２０１のグリッド数と区画配置図２０２のグリッド数との最小公倍数を統一座標空間２０３のグリッド数とする。
【００５９】
図１０は、実施の形態１におけるＳ１２３とＳ１２４とを示す概要図である。
Ｓ１２３において、図９（状態２）に示される照明配置図２０１と区画配置図２０２とに基づいて生成される統一座標空間２０３を図１０（状態３）に示す。
図１０において、統一座標空間２０３の東西軸のグリッド数は照明配置図２０１のＸ軸のグリッド数「３」と区画配置図２０２のＸ軸のグリッド数「６」との最小公倍数「６」であり、統一座標空間２０３の南北軸のグリッド数は照明配置図２０１のＹ軸のグリッド数「４」と区画配置図２０２のＹ軸のグリッド数「６」との最小公倍数「１２」である。統一座標空間２０３は「７２（＝６×１２）」のグリッドで区分けされる。
【００６０】
ここで、フロアの大きさが「縦３．６メートル（南北方向）×横３．０メートル（東西方向）」であるものとする。
この場合、図１０に示す統一座標空間２０３のグリッドの大きさは一つあたり「縦０．３メートル×横０．５メートル」となる。
フロアの大きさを示すフロア情報が予め検索装置記憶部２９０に記憶され、座標変換部２１０はこのフロア情報に基づいて統一座標空間２０３のグリッドの大きさを算出し、算出した値を統一座標空間２０３に設定するものとする。
【００６１】
図４に戻り、位置関係検索方法の説明を続ける。
【００６２】
Ｓ１２３の後、処理はＳ１２４に進む。
【００６３】
＜Ｓ１２４＞
座標変換部２１０は、照明配置図２０１に設定された各照明装置１１９の論理座標に基づいて各照明装置１１９の照明ＩＤを統一座標空間２０３にマッピングし、区画配置図２０２に設定された各区画の論理座標に基づいて各区画の区画番号を統一座標空間２０３にマッピングする。以下、各照明装置１１９の照明ＩＤと各区画の区画番号とをマッピングした統一座標空間２０３を「統合配置図２０４」という。
【００６４】
例えば、座標変換部２１０は、照明配置図２０１におけるマッピング前の照明装置１１９のＸ座標が「ＸＡ」である場合、統合配置図２０４におけるマッピング後の照明装置１１９のＸ座標「ＸＢ」を以下の式１で求める。ここで、統合配置図２０４の東西軸のグリッド数が照明配置図２０１のＸ軸のグリッド数の「α」倍であるものとする。すなわち、照明配置図２０１と統合配置図２０４とのグリッド比は「１：α」である。
座標変換部２１０は、照明装置１１９のＹ座標をＹ軸のグリッド比に基づいてＸ座標と同様に求め、区画のＸ、Ｙ座標を照明装置１１９のＸ、Ｙ座標と同様に求める。
【００６５】
ＸＢ＝（α×ＸＡ）−｛１／２×（α−１）｝・・・（式１）
【００６６】
図９（状態２）の照明配置図２０１に示される各照明ＩＤ（丸内に記された数字）と図９（状態２）の区画配置図２０２に示される各区画番号（四角内に記された数字）とを図１０（状態３）の統一座標空間２０３にマッピングして生成される統合配置図２０４を図１０の（状態４）に示す。
例えば、照明配置図２０１における論理座標が（１，２）である照明装置１１９（照明ＩＤ「１」）は、上記式１に基づいて、統一座標空間２０３の論理座標（１．５，５）にマッピングされている。
【００６７】
図４に戻り、位置関係検索方法の説明を続ける。
【００６８】
Ｓ１２４の後、処理はＳ１３０に進む。
【００６９】
＜Ｓ１３０＞
設備位置決定部２２０は、照明マスタ情報１１２に設定された照明装置１１９の大きさに基づいて、照明装置１１９が存在する範囲を統合配置図２０４に設定する。
さらに、設備位置決定部２２０は、区画マスタ情報１３２に設定された区画の大きさに基づいて、区画が存在する範囲を統合配置図２０４に設定する。
以下、照明装置１１９が存在する範囲を「照明領域２０５」、区画が存在する範囲を「区画領域２０６」とする。
【００７０】
図１１は、実施の形態１における統合配置図２０４を示す図である。
図８に示す照明マスタ情報１１２および区画マスタ情報１３２に基づいて図１０（状態４）の統合配置図２０４に設定される照明領域２０５および区画領域２０６を図１１に示す。
【００７１】
例えば、照明ＩＤ「１」で識別される照明装置１１９は、図１０（状態４）に示すように座標（１．５，５）に配置され、図８に示すようにＸ軸方向（東西方向）に「１．０メートル」、Ｙ軸方向（南北方向）に「０．６メートル」の大きさを有する。このため、この照明装置１１９の照明領域は、座標（１．５，５）を中心に東西方向に「１．０メートル」、南北方向に「０．６メートル」の長さを有する矩形で表すことができる。
照明ＩＤ「１」で識別される照明装置１１９の照明領域は、統合配置図２０４のグリッド一つの大きさが東西方向に「０．５メートル」、南北方向に「０．３メートル」であることを考慮すると、図１１に示すように座標（０，４）（０，６）（２，４）（２，６）の４点で囲まれたエリアとなる。
【００７２】
図４に戻り、位置関係検索方法の説明を続ける。
【００７３】
Ｓ１３０の後、処理はＳ１４０に進む。
【００７４】
＜Ｓ１４０＞
設備位置検索部２３０は、統合配置図２０４に基づいて指定区画２０７（Ｓ１１１で入力した区画番号で識別される区画）に対応する照明装置１１９を特定する。
例えば、設備位置検索部２３０は、指定区画から所定距離の領域を検索領域２０８として特定し、検索領域２０８内に少なくとも一部が位置する照明装置１１９を特定する。
【００７５】
図１２は、実施の形態１における指定区画２０７、検索領域２０８および照明装置１１９の関係図である。
図１２において、指定区画２０７が区画番号「２」で識別される区画である場合の検索領域２０８を点線枠で表している。
この場合、照明ＩＤ「３」「４」「５」で識別される３つの照明装置１１９が指定区画２０７に対応する照明装置１１９として特定される。
【００７６】
図４に戻り、位置関係検索方法の説明を続ける。
【００７７】
Ｓ１４０により、位置関係検索方法は終了する。
【００７８】
その後、設備位置検索部２３０は、特定した照明装置１１９の照明ＩＤを機器制御装置１４０に通知する。
機器制御装置１４０は、設備位置検索部２３０から通知された照明ＩＤで識別される照明装置１１９の点灯や調光率の変更（または消灯）を照明コントローラ１１１に要求する。
照明コントローラ１１１は、機器制御装置１４０の要求に従い、照明装置１１９の調光を制御する。
【００７９】
実施の形態１において、例えば以下のような位置関係検索装置２００について説明した。
設備のフロア内の位置を定義した設備論理座標情報（照明座標情報１１３、空調座標情報１２３）と設備の形やサイズを定義した設備形状情報（照明マスタ情報１１２、空調マスタ情報１２２）が複数種類の設備で独立に定義される。
フロア内の一画のエリアの位置を定義した区画論理座標情報（区画座標情報１３３）と一画のエリアの形やサイズを定義した区画形状情報（区画マスタ情報１３２）が定義され、さらに論理座標変換機能（座標変換部２１０）と設備・区画位置決定機能（設備位置決定部２２０）とを備える。
論理座標変換機能が、設備論理座標情報と区画論理座標情報が定義された座標空間の差異を考慮して統一的なグリッドに異なる設備と区画の位置をマッピングし、設備・区画位置決定機能が、設備形状情報と区画形状情報を基に、設備と区画の形やサイズを考慮した位置情報を生成する。
【００８０】
設備と区画の形およびサイズを考慮した位置情報を基に、設備と設備、設備と区画の間の位置関係を検索する位置検索機能（設備位置検索部２３０）を備え、異なる種類の設備間の距離、設備と区画間の距離を算出する。
設備位置検索部２３０は指定された機器と区画、２つの区画または２つの機器の距離を統合配置図２０４に基づいて算出してもよい。
【００８１】
設備として照明と空調とを管理する。
通信装置（コンピュータ、ルータ、ハブ、その他ＬＡＮの情報）を設備として管理してもよい。
【００８２】
フロア内の一画のエリアとして、フロアで勤務する個人の座席を定義する。
フロア内の一画のエリアとして、フロアの机を定義する。
フロア内の一画のエリアとして、フロアの複数の机で構成されたエリアを定義する。
【００８３】
オフィスビルの複数の設備（空調、照明、ＬＡＮ回線など）で個別に定義された設備情報と、オフィスビル内の特定の区画（座席、会議室、チームのエリアなど）を定義した区画情報を用いて、設備と区画の位置関係、および設備と設備の位置関係に関する検索を可能とする技術である。
これにより、「ある座席を中心に半径５メートル以内の照明を抽出する」「あるチームのエリアの近傍５メートル以内の空調を抽出する」「ある空調に最も近い照明を抽出する」などを検索することができる。
【００８４】
図１３は、統合テーブル１０９の一例である。
異なる種類の設備および区画は、通常、一元管理されず個別に管理される。このため、設備と区画、第１の設備（例えば照明装置）と第２の設備（例えば空調装置）との位置関係を検索したい場合、図１３に示すように、複数設備の設備情報、および区画情報を統合した統合テーブル１０９を管理する方式も考えられる。
統合テーブル１０９は、設備の位置情報とサイズ、区画の位置情報とサイズを管理しており、設備と区画のフロア内の位置を表現している。
本方式によれば、空調の近傍の照明、座席に設置したＬＡＮ（Ｌｏｃａｌ  Ａｒｅａ  Ｎｅｔｗｏｒｋ）などの情報を検索できる。
【００８５】
但し、統合テーブル１０９の作成・保守にコストがかかるという課題がある。
作成時は、各設備の設備情報と区画の区画情報を統一の座標軸にマッピングするための情報を作成しなければならない。しかし、オフィスは設備の情報、区画の情報を管理する部門がそれぞれ異なるため、統一の座標軸にマッピングするための部門間の共通のルール作りが必要である。さらに、何れかの部門が統合テーブルを管理する必要がある。そのため、部門間の調整、統合テーブルの管理にコストがかかる。
【００８６】
上記の位置関係検索装置２００は、統合テーブル１０９が無くても、各部門で独立に定義された設備や区画の情報を用いて設備と区画、設備と設備の位置関係に基づく検索を実現することができる。
統合配置図２０４を統合テーブル１０９として利用しても構わない。
【符号の説明】
【００８７】
１００  ビル管理システム、１０１  ネットワーク、１０９  統合テーブル、１１０  照明システム、１１１  照明コントローラ、１１２  照明マスタ情報、１１３  照明座標情報、１１９  照明装置、１２０  空調システム、１２１  空調コントローラ、１２２  空調マスタ情報、１２３  空調座標情報、１２９  空調装置、１３０  入退室管理システム、１３１  入退室管理コントローラ、１３２  区画マスタ情報、１３３  区画座標情報、１３８  座席区画、１３９  カードリーダ、１４０  機器制御装置、２００  位置関係検索装置、２０１  照明配置図、２０２  区画配置図、２０３  統一座標空間、２０４  統合配置図、２０５  照明領域、２０６  区画領域、２０７  指定区画、２０８  検索領域、２１０  座標変換部、２２０  設備位置決定部、２３０  設備位置検索部、２８０  区画特定部、２９０  検索装置記憶部、２９１  照明座標ルール、２９２  空調座標ルール、２９３  区画座標ルール、２９９  区画対応情報、９０１  表示装置、９０２  キーボード、９０３  マウス、９０４  ドライブ装置、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群。
【図１】
2011034534.tif 000003
【図２】
2011034534.tif 000004
【図３】
2011034534.tif 000005
【図４】
2011034534.tif 000006
【図５】
2011034534.tif 000007
【図６】
2011034534.tif 000008
【図７】
2011034534.tif 000009
【図８】
2011034534.tif 000010
【図９】
2011034534.tif 000011
【図１０】
2011034534.tif 000012
【図１１】
2011034534.tif 000013
【図１２】
2011034534.tif 000014
【図１３】
2011034534.tif 000015